(57)【要約】【課題】自費出版の書籍は、一般書店への流通の道が殆ど無く、著者本人の自宅での在庫保管となり、また個人で販売先を見つけて売ることも非常に困難で、著者の創作意欲向上に繋がる読者の獲得も困難である。また読者側も、多くの著者・著作と出会う機会を逸している。【解決手段】  自費出版書籍流通サポートシステムにより、広く全国から読者を集め、著者が経費を負担することにより無料で配本を行い、読者からは読後感想を得ることを容易にした。【選択図】図１
2006331364.tif 000002
【特許請求の範囲】
【請求項１】
コンピューターとインターネットを利用し、著者個人では困難な、広範囲、多数の読者を獲得し、その読者に向けて自費出版書籍の配本を行ない、次に、その読者からの感想を得ることを、容易に実現することを特徴とする自費出版書籍流通サポートシステム。
【請求項２】
前記配本についての書籍代金、送料、梱包料、及び集客配本代行の手数料を著者が負担し、読者には無料で配本されることを特徴とする請求項１記載の自費出版書籍流通サポートシステム。
【請求項３】
前記コンピューターの利用により、手作業では非常に煩雑な、重複を回避するための配本履歴管理や、配本先情報の管理、書籍在庫数管理を、データベースを用いることで、容易に行うこと可能にすることを特徴とする請求項１記載の自費出版書籍流通サポートシステム。
【発明の詳細な説明】
【技術分野】
【０００１】  この発明は、自費出版書籍の流通促進に関する。
【背景技術】
【０００２】  従来の自費出版書籍は、ごく僅かな例外を除いては、完成後に全て著者に引渡される。出版社の手配により、一般の書店に広く出まわることは、実際には皆無と言える現状である。
【発明の開示】
【発明が解決しようとする課題】
【０００３】  そのため、従来、自費出版を行った著者は、個人で販売先を見つけることも非常に難しく、また謹呈等で知人、同人、著名作家、各文学賞の選考委員等に数十から百冊前後を配ったとしても、平均３００〜５００冊ほどを製本しているため、残りの数百冊を何年間もの長期に及び、自宅に保管しているだけという状況ががほとんどであり、保管場所にも苦慮している状況がある。以上のようなことは、文章創作を行うものにとって、次回作品への意欲にも悪影響を与えているものである。【０００４】  また、読者の側から見た場合、多くの本が出版されているにもかかわらず、それらの本が一般書店に流通していないために入手が困難になっているばかりか、有名作家以外の、多くの著者及びその著作を知る機会さえもが稀少なものになってしまっている。
そこでこの発明は、著者の個人レベルでは非常に困難である、広く読者を獲得、及び読後感想を得るということを容易に実現し、また著者が保管する膨大な在庫を減らし、精神面、物理面での著者の負担を軽減すること、また、広く読者に、多くの著者・著作を認知させ、その著書を入手を容易にすることを課題とする。
【課題を解決するための手段】
【０００５】  以上の課題を解決するために、第一発明は、コンピューターとインターネットを利用し、著者個人では困難な、広範囲、多数の読者を獲得し、その読者に向けて自費出版書籍の配本を行ない、次に、その読者からの感想を得ることを、容易に実現することを特徴とする自費出版書籍流通サポートシステムである。
また、第二発明は、配本についての書籍代金、送料、梱包料、及び集客配本代行の手数料を著者が負担し、読者には無料で配本されることを特徴とする自費出版書籍流通サポートシステムである。
また、第三発明は、コンピューターの利用により、手作業では非常に煩雑な、重複を回避するための配本履歴管理や、配本先情報の管理、書籍在庫数管理を、データベースを用いることで、容易に行うこと可能にすることを特徴とする自費出版書籍流通サポートシステムである。
【発明の効果】
【０００６】  この発明を利用し、多数の読者会員に配本されることにより、著者が保管している大量の自費出版書籍の在庫を徐々に減らして行くこと、及び読者会員からの読後感想を受け取ることは、次回作品への創作意欲向上に非常に有効なものであり、また保管場所の軽減という、物理的な日常生活における問題解決にも繋がり、著者の精神面にも良い影響を与えるものである。更に、次回作品への創作意欲向上により、次期出版へ着手する著者が現在よりも増加することにより、将来的には現在の数十〜数百万円も必要とされている自費出版費用の軽減化にも繋がることが期待されるものである。また、読者会員はこの発明により、無料で本を受け取ることができるが、ここで自分の嗜好に合った著者を知った場合、将来的には、対価を支払っての購入に繋がることが期待できる。
【発明を実施するための最良の形態】
【０００７】  この発明の一実施形態を、「やっぱり本が好きっ！」というＷｅｂサイト上でサービスの提供を行った場合を例にして以下に示す。
図２は「やっぱり本が好きっ！」のトップページの表示画面である。ページの最上部（５）は、Ｗｅｂサイトのタイトルを示した部分である。その下の（６）は、Ｗｅｂサイトの趣旨についての簡単な説明であり以下に続く詳細説明への導入部である。その下の（７）は、自らの著作である自費出版書籍の、読者会員への配本を行うための著者会員登録についての説明ページ（図３）への導入部で、リンクが設定されており、クリックですることで図３のページを表示することができる。その右の（８）は、自費出版書籍の配本を受けるために必要な会員登録についての説明ページ（図６）への導入部で、リンクが設定されており、クリックですることで図６のページを表示することができる。その左下の（９）は、このサイトの運営・管理者の表示及び連絡先の表示である。「お問い合わせはこちらから」の部分をクリックすることにより、閲覧者のコンピューターで使用されているメールソフトが立ち上がり、運営・管理者の連絡先メールアドレスが宛先に入力されているメールの新規作成画面が表示され、運営・管理者へのメールを作成することができる。【０００８】  図２の（７）をクリックして表示される図３は、著者会員登録についての説明ページを示している。最上部の（１０）はこのページのイメージを伝える見出しの部分である。その下の（１１）は、著者会員となることの意義を簡単に示したものである。その下の（１２）は、このサービスの概要の説明である。（１２）の文末にある（１４）は、下線が引かれている「こちら」の部分にリンクが設定されており、クリックですることで、著者会員登録申込みフォームがあるページ（図４）を表示させるものである。その下にある（１３）は、著者会員についての説明部分である。その右側にある（１５）は、下線が引かれている「詳細」の部分にリンクが設定されており、クリックですることで、同一ページ内にある、配本に関わる料金についての説明を表示した部分（図３（１７）、（１８）、（１９））の表示がある位置へ移動することができるものである。その下にある（１６）は、下線が引かれている「詳細」の部分にリンクが設定されており、クリックですることで、同一ページ内にある、受付けできる書籍についての説明を表示した部分（図３（２０）、（２１）、（２２））の表示がある位置へ移動することができるものである。その下にある（１７）は、「詳細（１５）」をクリックしたときに、同一ページ内を移動して表示される、配本に関わる料金についての説明を表示した部分の最上部であり、以下の内容を示した見出しの部分である。その下にある（１８）は、配本に関わる実際の料金や注意書きを表示したものである。その下にある（１９）は、下線が引かれている「戻る」の部分にリンクが設定されており、クリックですることで、同一ページ内の（１２）を表示画面の最上部とした位置まで移動することができるものである。その下にある（２０）は、「詳細（１６）」をクリックしたときに、同一ページ内を移動して表示される、受付けできる書籍についての説明の部分の最上部であり、以下の内容を示した見出しの部分である。その下にある（２１）は、受付けできる書籍についての詳細を示したものである。その下に���る（２２）は、下線が引かれている「戻る」の部分にリンクが設定されており、クリックですることで、同一ページ内の（１２）を表示画面の最上部とした位置まで移動することができるものである。【０００９】  図３の（１４）をクリックして表示される図４は、実際に著者会員の申込みを行う登録フォームを設置したページを示している。最上部の（２３）は、このページの見出し部分である。その下にある（２４）は、登録フォームの利用について及び、送信後の流れについての簡単な説明である。その下にある（２５）は、登録フォームの入力エリア部分である。その下にある（２６）は、この登録フォームの送信ボタンであり、クリックすることにより、登録フォームに入力をしたデータを運営・管理者に送信することができる。その右（２７）は、この登録フォームのリセットボタンでり、クリックすることにより、登録フォームに入力した全データを削除することができるものであり、書き直しの際に使用されるものである。その下にある（２８）は、著者会員登録希望者が、この登録フォームに入力し送信することにより運営・管理者が得る個人情報の取扱いについての記述である。【００１０】  図４の（２６）をクリックした後に表示される画面を示したものが図５である。ページの中央にある（２９）は、図４の登録フォームから申込みを行った著者会員登録希望者へのメッセージであり、この後、運営・管理者からの確認の電子メールが届くことを伝えるものである。その左下にある、（３０）は、下線が引かれている「閉じる」の部分をクリックですることで、表示されている画面を閉じることができるものである。その右にある（３１）は、下線が引かれている「トップページへ」の部分にリンクが設定されており、クリックですることで、図２で示したこのＷｅｂサイトのトップページに戻ることができるものである。【００１１】  図２の（８）をクリックして表示される図６は、読者会員登録についての説明ページを示している。最上部の（３２）はこのページのイメージを伝える見出しの部分である。その下の（３３）は、読者会員となることの意義を簡単に示したものである。その下にある（３４）は、このサービスが無料であることを閲覧者に示している。（３４）の文末にある（３６）は、下線が引かれている「こちら」の部分にリンクが設定されており、クリックですることで、読者会員登録申込みフォームがあるページ（図８）を表示させるものである。その下にある（３５）は、著者会員についての説明部分である。その右側にある（３７）は、下線が引かれている「なぜ本が無料なの？」の部分にリンクが設定されており、クリックですることで、同一ページ内にある、無料で配本されることについての説明を表示した部分（図７（４０）、（４１）、（４２））の表示がある位置へ移動することができるものである。その下にある（３８）は、下線が引かれている「在庫状況って？」の部分にリンクが設定されており、クリックですることで、同一ページ内にある、配本される書籍の在庫状況についての説明を表示した部分（図７（４３）、（４４）、（４５））の表示がある位置へ移動することができるものである。その下にある（３９）は、下線が引かれている「なぜ感���がいるの？」の部分にリンクが設定されており、クリックですることで、同一ページ内にある、著者にとっての感想をもらうことの重要性についての説明と、感想文の投稿を促す文章を表示した部分（図７（４６）、（４７）、（４８））の表示がある位置へ移動することができるものである。【００１２】  図６の（３７）、（３８）、（３９）をクリックしたときに、同一ページ内を移動して表示される画面が図７である。最上部にある（４０）は、無料で読者会員に配本される理由についての説明を表示した部分の見出しであり、図６の（３７）をクリックしたときに、同一ページ内を移動して表示される画面の最上部である。その下にある（４１）は、無料で配本される理由や注意書きを表示したものである。その下にある（４２）は、下線が引かれている「戻る」の部分にリンクが設定されており、クリックですることで、同一ページ内の（３４）を表示画面の最上部とした位置まで移動することができるものである。その下にある（４３）は、無料で読者会員に配本される本の在庫状況及び、それに応じて配本の状況が変動する可能性についての説明を表示した部分の見出しであり、図６の（３８）をクリックしたときに、同一ページ内を移動して表示される画面の最上部である。その下にある（４４）は、無料で読者会員に配本される本の在庫状況及び、それに応じて配本の状況が変動する可能性についての説明を表示したものである。その下にある（４５）は、下線が引かれている「戻る」の部分にリンクが設定されており、クリックですることで、同一ページ内の（３４）を表示画面の最上部とした位置まで移動することができるものである。その下にある（４６）は、著者にとっての感想をもらうことの重要性についての説明と、感想文の投稿を促す文章を表示した部分の見出しであり、図６の（３９）をクリックしたときに、同一ページ内を移動して表示される画面の最上部である。その下にある（４７）は、著者にとっての感想をもらうことの重要性についての説明と、感想文の投稿を促す文章を表示したものである。その下にある（４８）は、下線が引かれている「戻る」の部分にリンクが設定されており、クリックですることで、同一ページ内の（３４）を表示画面の最上部とした位置まで移動することができるものである。【００１３】  図６の（３６）をクリックして表示される図８は、実際に読者会員の申込みを行う登録フォームを設置したページを示している。最上部の（４９）は、このページの見出し部分である。その下にある（５０）は、登録フォームの利用について及び、送信後の流れについての簡単な説明である。その下にある（５１）は、登録フォームの入力エリア部分である。その下にある（５２）は、この登録フォームの送信ボタンであり、クリックすることにより、登録フォームに入力をしたデータを運営・管理者に送信することができる。その右（５３）は、この登録フォームのリセットボタンでり、クリックすることにより、登録フォームに入力した全データを削除することができるものであり、書き直しの際に使用されるものである。その下にある（５４）は、読者会員登録希望者が、この登録フォームに入力し送信することにより運営・管理者が得る個人情報の取扱いについての記述である。【００１４】  図８の（５２）をクリックした後に表示される画面を示したものが図９である。ページの中央にある（５５）は、図８の登録フォームから申込みを行った読者会員登録希望者へのメッセージであり、この後、運営・管理者からの確認の電子メールが届くことを伝えるものである。その左下にある、（５６）は、下線が引かれている「閉じる」の部分をクリックですることで、表示されている画面を閉じることができるものである。その右にある（５７）は、下線が引かれている「トップページへ」の部分にリンクが設定されており、クリックですることで、図２で示したこのＷｅｂサイトのトップページに戻ることができるものである。【００１５】  図１０は読者会員が読後感想を送信するための、感想受付けフォームを設置したページを示している。このページは、インターネットの公開性を考慮したときに、いたずらを防止するなどの理由から、このＷｅｂサイト上に入口は設けられておらず、配本を受けた読者会員にのみ、ページのＵＲＬが電子メールにて伝えられるものである。最上部の（５８）は、このページの見出し部分である。その下にある（５９）は、感想受付けフォームの利用についての簡単な説明である。その下にある（６０）は、感想受付けフォームの入力エリア部分である。その下にある（６１）は、この感想受付けフォームの送信ボタンであり、クリックすることにより、感想受付けフォームに入力をしたデータの内容を、広い画面表示で確認するためのページ（図１１）に移動することができる。その右（６２）は、この感想受付けフォームのリセントボタンでり、クリックすることにより、感想受付けフォームに入力した全データを削除することができるものであり、書き直しの際に使用されるものである。その下にある（６３）は、読者会員が、この感想受付けフォームに入力し送信することにより運営・管理者が得る個人情報の取扱いについての記述である。【００１６】  図１０の（６１）をクリックした後に表示される画面を示したものが図１１であり、図１０の感想受付けフォームに入力した内容を、広い画面表示で確認するためのページである。ページの中央にある（６４）は、入力内容の確認を促すメッセージである。その下にある、（６５）は、図１０の感想受付けフォームに入力した内容を見易く表示するためのエリアである。その左下にある（６６）は、最終的に感想を運営・管理者に送信するための送信ボタンである。その右にある（６７）は、（６５）のエリア内に表示された感想分を確認後、修正を行いたい場合にクリックすることにより、図１０の感想受付けフォームに戻ることができるものである。【００１７】  図１１の（６６）をクリックした後に表示される画面を示したものが図１２である。ページの中央にある（６８）は、図１０の感想受付けフォームから感想の送信を行った読者会員へのメッセージであり、この後数日中に、運営・管理者から著者へ感想を届けることを伝えるものであり、次回の感想投稿を促すものである。その左下にある、（６９）は、下線が引かれている「閉じる」の部分をクリックですることで、表示されている画面を閉じることができるものである。その右にある（７０）は、下線が引かれ���いる「トップページへ」の部分にリンクが設定されており、クリックですることで、図２で示したこのＷｅｂサイトのトップページに戻ることができるものである。
【実施形態の効果】
【００１８】  この実施形態によれば、著者会員（図１の▲２▼）は、インターネットを利用した簡単な申し込み（図１のａ−１）で、個人では望めない広範囲・多数の読者（図１の▲３▼）と、そこからの感想を得ること（図１のａ−４）が容易に可能となる。このことにより、書籍の保管に関わる物理的・精神的負担が軽減され、また、作家にとっての最大の喜びである「読者からの感想（図１のａ−４）」を得て、創作及び、次期出版への意欲が高まることが大きく期待できる。また、読者会員（図１の▲３▼）は、インターネットを利用した簡単な申し込み（図１のａ−２）で、今まで困難であった、有名作家以外の多くの著者・著作を知り、その著書を入手すること（図１のｃ−２）が容易になる。また、感想を送る場合にもインターネット上の専用フォームの利用（図１のａ−３）」により、書面にして送る場合に比べ、気軽であり、費用の負担も少ないため、感想の投稿率が上がることが期待できる。
【図面の簡単な説明】
【００１９】
【図１】この発明の自費出版書籍流通サポートシステムを示す説明図である。
【図２】この発明の実施例におけるＷｅｂサイトトップページの表示画面説明図である。
【図３】この発明の実施例における著者会員登録及び自費出版書籍募集ページの表示画面説明図である。
【図４】この発明の実施例における著者会員登録及び自費出版書籍の申込み受付け専用フォームの表示画面説明図である。
【図５】この発明の実施例における著者会員登録及び自費出版書籍の申込みデータ送信確認ページの表示画面説明図である。
【図６】この発明の実施例における読者会員募集ページの表示画面説明図である。
【図７】この発明の実施例における読者会員に対するＦＡＱの表示画面説明図である。
【図８】この発明の実施例における読者会員登録申込み専用フォームの表示画面説明図である。
【図９】この発明の実施例における読者会員登録申込みデータ送信確認ページの表示画面説明図である。
【図１０】この発明の実施例における読後感想受付け専用フォームの表示画面説明図である。
【図１１】この発明の実施例における読後感想受付け内容確認ページの表示画面説明図である。
【図１２】この発明の実施例における読後感想データ受付け送信確認ページの表示画面説明図である。
【符号の説明】
【００２０】▲１▼情報管理部データベース
▲２▼著者会員
▲３▼読者会員
▲４▼書籍管理・物流部
（ａ−１，ａ−２，ａ−３，ａ−４）インターネット通信
（ｂ−１，ｂ−２）社内ネットワーク等
（ｃ−１，ｃ−２）物流
【図１】
2006331364.tif 000003
【図２】
2006331364.tif 000004
【図３】
2006331364.tif 000005
【図４】
2006331364.tif 000006
【図５】
2006331364.tif 000007
【図６】
2006331364.tif 000008
【図７】
2006331364.tif 000009
【図８】
2006331364.tif 000010
【図９】
2006331364.tif 000011
【図１０】
2006331364.tif 000012
【図１１】
2006331364.tif 000013
【図１２】
2006331364.tif 000014